(57)【要約】【課題】ＲＦケーブル及びコネクタ結合における電力損失量を測定する移動無線機テストシステムを実現する。【解決手段】線機用テスタ（１）からの指令を受信し、所定の機能の有無を前記無線機用テスタに送信する移動無線装置（２）と、からなる無線機用テストシステムにおいて、  前記無線機用テスタ（１）と移動無線装置（２）との間で生じる電力損失を測定するに際しては、前記移動無線装置（２）のプロトコルメッセージを利用して測定する。【選択図】      図１
2007218750.tif 000002
【特許請求の範囲】
【請求項１】
無線機用テスタ（１）からの指令を受信し、所定の機能の有無を前記無線機用テスタに送信する移動無線装置（２）と、からなる無線機用テストシステムにおいて、
前記無線機用テスタ（１）と移動無線装置（２）との間で生じる電力損失を測定するに際しては、前記移動無線装置（２）のプロトコルメッセージを利用して測定することを特徴とする無線機用テストシステム。
【請求項２】
無線機用テスタ（１）からの指令を受信し、所定の機能の有無を前記無線機用テスタに送信する移動無線装置（２）と、この移動無線装置にケーブル５を介して接続され前記移動無線装置に制御信号を送信する端末制御ＰＣ（４）からなる無線機用テストシステムにおいて、
前記無線機用テスタ（１）と移動無線装置（２）との間で生じる電力損失を測定するに際しては、前記移動無線装置（２）のプロトコルメッセージを利用して測定することを特徴とする無線機用テストシステム。
【請求項３】
前記移動無線装置は一般の携帯電話機（ノーマルモバイルフォン）であることを特徴とする請求項１又は２に記載の無線機用テストシステム。
【請求項４】
前記電力損失は前記移動無線機テスタからのダウンリンク電力とメッセージの受信電力値の差分をダウン電力損失量とし、メッセージの送信電力値と移動無線機テスタにおけるアップリンク電力測定値の差分をアップリンク電力損失量としたことを特徴とする請求項１乃至３のいずれかに記載の無線機用テストシステム。
【発明の詳細な説明】
【技術分野】
【０００１】
本発明は、移動無線機（例えば携帯電話機）のテストシステムに関し、無線機用テスタと移動無線機を接続することによって生じる電力損失測定の簡素化を図った移動無線機のテストシステムするものである。
【背景技術】
【０００２】
従来、携帯電話機の性能をテストするシステムとしては図３に示す構成のものが知られている。図３において、１は携帯電話機テスタ、２は基準携帯電話機（Ｇｏｌｄｅｎ−ＭｏｂｉｌｅＰｈｏｎｅ）であり、これらはＲＦケーブル３を介して（若しくは無線により）接続されている。４は端末制御ＰＣであり、携帯電話機にＵＳＢ（若しくはシリアル）ケーブル等を介して接続されている。
【０００３】
上述の構成において、携帯電話機テスタ１は予め設定されたプログラムに従って基準携帯電話機にテスト項目を送信する。携帯電話機２はそのテスト項目を受信して自身の状態を携帯電話機テスタ１に送信する。
【０００４】
なお、移動無線機テストシステムの先行技術としては例えば下記の特許文献に示されたものがある。
【０００５】
【特許文献１】特開２００４−２３７５５号公報
【発明の開示】
【発明が解決しようとする課題】
【０００６】
ところで、上述の従来例においては、携帯電話機として基準携帯電話機を用いている。即ち、携帯電話機テスタにおいて精度の高い電力測定を行うためにはＲＦケーブル及びコネクタ結合（若しくは無線通信）における電力損失量を正確に把握する必要がある。
【０００７】
携帯電話機のＲＦコネクタは特殊な形状の物が多いため、従来では対象とする携帯電話機と同型のＧｏｌｄｅｎ−ＭｏｂｉｌｅＰｈｏｎｅを利用している。
そのため、従来は新しい携帯電話機が開発される都度にＧｏｌｄｅｎ−ＭｏｂｉｌｅＰｈｏｎｅを作る必要があり、また携帯電話機テスタ毎にＧｏｌｄｅｎ−ＭｏｂｉｌｅＰｈｏｎｅ及びその端末制御ＰＣが必要になるという問題があった。
【０００８】
従って、本発明の目的は、Ｇｏｌｄｅｎ−ＭｏｂｉｌｅＰｈｏｎｅを使用せずに、通常販売されているＮｏｍａｌ−ＭｏｂｉｌｅＰｈｏｎｅを利用しＲＦケーブル及びコネクタ結合（若しくは無線通信）における電力損失量を測定する移動無線機テストシステムを実現することにある。
【課題を解決するための手段】
【０００９】
本発明は上記問題点を解決するためになされたもので、請求項１記載の移動無線機用テストシステムの発明においては、
無線機用テスタ（１）からの指令を受信し、所定の機能の有無を前記無線機用テスタに送信する移動無線装置（２）と、からなる無線機用テストシステムにおいて、
前記無線機用テスタ（１）と移動無線装置（２）との間で生じる電力損失を測定するに際しては、前記移動無線装置（２）のプロトコルメッセージを利用して測定することを特徴とする。
請求項２においては、無線機用テスタ（１）からの指令を受信し、所定の機能の有無を前記無線機用テスタに送信する移動無線装置（２）と、この移動無線装置にケーブル５を介して接続され前記移動無線装置に制御信号を送信する端末制御ＰＣ（４）からなる無線機用テストシステムにおいて、
前記無線機用テスタ（１）と移動無線装置（２）との間で生じる電力損失を測定するに際しては、前記移動無線装置（２）のプロトコルメッセージを利用して測定することを特徴とする。
【００１０】
請求項３においては、請求項１または２に記載の移動無線機用テストシステムの発明において、
前記移動無線装置は一般の携帯電話機（ノーマルモバイルフォン）であることを特徴とする。
【００１１】
請求項４においては、請求項１乃至３のいずれかに記載の無線機用テストシステムの発明において、
前記電力損失は前記移動無線機テスタからのダウンリンク電力とメッセージの受信電力値の差分をダウン電力損失量とし、メッセージの送信電力値と移動無線機テスタにおけるアップリンク電力測定値の差分をアップリンク電力損失量としたことを特徴とする。
【発明の効果】
【００１２】
以上説明したことから明らかなように本発明によれば、次のような効果がある。請求項１〜４に記載の発明によれば、無線機用テスタからの指令を受信し、所定の機能の有無を前記無線機用テスタに送信する移動無線装置と、からなる無線機用テストシステムにおいて、
前記無線機用テスタと移動無線装置との間で生じる電力損失を測定するに際しては、前記移動無線装置のプロトコルメッセージを利用して測定するので、測定専用のＧｏｌｄｅｎ−ＭｏｂｉｌｅＰｈｏｎｅを用いることなく、特性評価済みのＮｏｒｍａｌ−ＭｏｂｉｌｅＰｈｏｎｅを用いて電力損失量が測定可能な移動無線機テストシステムを実現することができる。
【発明を実施するための最良の形態】
【００１３】
図１は本発明の一実施例を示す構成図である。図において１は携帯電話テスタであり、２は内部の送受信電力損失が評価された特性評価済みのＮｏｒｍａｌ−ＭｏｂｉｌｅＰｈｏｎｅである。これらはＲＦケーブル３を介してそれぞれ接続されている。４は端末制御ＰＣであり、携帯電話機にＵＳＢケーブルを介して接続されている。
【００１４】
図１において、市販の携帯電話機（Ｎｏｒｍａｌ−ＭｏｂｉｌｅＰｈｏｎｅ）にはプロトコルメッセージで受信電力値及び送信電力値を通知してくるプロトコル送受信手段２aが具備されている。この情報を基に携帯電話テスタ１に内蔵された電力損失演算手段１ａにより電力損失量を測定する。
【００１５】
具体的には携帯電話機テスタからのダウンリンク電力とメッセージの受信電力値の差分がダウンリンク電力損失量であり、メッセージの送信電力値と携帯電話機テスタにおけるアップリンク電力測定値の差分がアップリンク電力損失量である。
【００１６】
図２はテスタからの送信電力（ｄＢｍ）と携帯電話からのレポート値（ｄＢｍ）から携帯電話の受信電力（ｄＢｍ）を推定した値および結合損失（ｄＢ）の値を示す実験値である。
即ち、携帯電話からのレポートは１ｄＢｍで３０以上３１未満である。これに対しテスタからの送信電力を０．１刻みで変化させることにより、０．１ｄＢの損失値を得ている。
【００１７】
ここで、テスタからの送信電力が３０．４（ｄＢｍ）と３０．５（ｄＢｍ）に対する携帯電話からのレポート値に注目すると、テスタからの送信電力が３０．４（ｄＢｍ）に対する携帯電話からのレポート値は２８（ｄＢｍ）に対し、テスタからの送信電力が３０．５（ｄＢｍ）に対する携帯電話からのレポート値は２９（ｄＢｍ）となっている。このことは０．１ｄＢでの損失量の測定が可能なことを示している。
【００１８】
また携帯電話機の測定誤差については、予めその特性を評価しておくことで損失量の補正を行う。ただし、プロトコルメッセージで取得できる受信電力値及び送信電力値は１ｄＢ精度であるため、０．１ｄＢの精度が必要の場合には、ダウンリンク電力およびアップリンク電力を０．１ｄＢｍで変化させることにより損失量を推定する。
【００１９】
上述の構成によれば、測定専用のＧｏｌｄｅｎ−ＭｏｂｉｌｅＰｈｏｎｅを用いることなく、特性評価済みのＮｏｒｍａｌ−ＭｏｂｉｌｅＰｈｏｎｅを用いて電力損失量が測定可能な移動無線機テストシステムを実現することができる。
【００２０】
なお、以上の説明は、本発明の説明および例示を目的として特定の好適な実施例を示したに過ぎない。本発明では移動無線機として携帯電話機を用いたが、他の移動体無線機であってもよい。また、本実施例では携帯電話機テスタとＮｏｒｍａｌ−ＭｏｂｉｌｅＰｈｏｎｅをＲＦケーブルで接続した例について図示したが、この接続は無線であってもよい。
【００２１】
また、Ｎｏｒｍａｌ−ＭｏｂｉｌｅＰｈｏｎｅと端末制御ＰＣとの接続はＵＳＢケーブルに限ることなく例えばシリアルケーブルであってもよい。
また、実施例では、移動無線装置にケーブル５を介して制御信号を送信する端末制御ＰＣを接続したが無線機用テスタ（１）と移動無線装置（２）との間で生じる電力損失を測定するのみであれば端末制御ＰＣおよびケーブル５はなくても良い。
従って本発明は、上記実施例に限定されることなく、その本質から逸脱しない範囲で更に多くの変更、変形を含むものである。
【図面の簡単な説明】
【００２２】
【図１】本発明の一実施例を示す移動無線機テストシステムの構成図である。
【図２】送信電力と携帯電話からのレポート値から携帯電話の受信電力を推定した値および結合損失の値を示す実験値である。
【図３】従来の移動無線機テストシステムの一例を示す構成図である。
【符号の説明】
【００２３】
１  携帯電話機テスタ
１ａ  電力損失演算手段
２  携帯電話機
２ａ  プロトコル送受信手段
３  ＲＦケーブル
４  端末制御ＰＣ
５  ＵＳＢケーブル
【図１】
2007218750.tif 000003
【図２】
2007218750.tif 000004
【図３】
2007218750.tif 000005